(57)【特許請求の範囲】
【請求項１】
複数の発光装置からなり、前記複数の発光装置間で前記発光装置の発光に関するコマンド信号を送受信する情報処理システムにおける発光装置であって、
前記発光装置は、発光部とコマンド信号送信／受信部と時計部ないし計時部と制御部とを少なくとも備え、
前記コマンド信号には、少なくとも残点灯時間情報（消灯までの時間情報）を含む発光指示コマンド信号が含まれ、
前記制御部は、前記複数の発光装置のうちの点灯状態にある発信側の発光装置から発信された発光指示コマンド信号を前記複数の発光装置のうちの消灯状態にある受信側の発光装置の前記コマンド信号受信部によって受信した後に、前記発光指示コマンド信号に含まれる前記残点灯時間情報から残点灯時間を読み出すとともに、前記受信側の発光装置を点灯状態にして前記時計部ないし計時部に前記残点灯時間をカウントダウンさせるよう制御し、前記残点灯時間がゼロになった場合には、前記受信側の発光装置を消灯状態に制御するものであって、
前記カウントダウン制御中の前記受信側の発光装置は、消灯状態にある他の受信側の発光装置へ前記発光指示コマンド信号を送信することにより、前記他の消灯状態にある受信側の発光装置を点灯状態に制御させる
ことを特徴とする発光装置。
【請求項２】
前記コマンド信号には、前記残点灯時間の加算または書き換えコマンドがさらに含まれ、
前記制御部は、前記残点灯時間の加算または書き換えコマンドが含まれたコマンド信号を前記コマンド信号受信部によって受信した後に、前記コマンド信号から前記残点灯時間の加算または書き換え情報を読み出すとともに、前記時計部ないし計時部に前記残点灯時間の加算または書き換えをさせるよう制御する
ことを特徴とする請求項１に記載の発光装置。
【請求項３】
複数の発光装置からなり、前記複数の発光装置間で前記発光装置の発光に関するコマンド信号を送受信する情報処理システムにおける発光装置であって、
前記発光装置は、発光部とコマンド信号送信／受信部と時計部ないし計時部と制御部とを少なくとも備え、
前記コマンド信号には、少なくとも前記発光部の発光ないし点灯を遅延させるための遅延時間情報を含む遅延発光指示コマンドが含まれ、
前記制御部は、前記複数の発光装置のうちの点灯状態にある発信側の発光装置から発信された遅延発光指示コマンド信号を前記複数の発光装置のうちの消灯状態にある受信側の発光装置の前記コマンド信号受信部によって受信した後に、前記遅延発光指示コマンド信号に含まれる遅延時間情報から前記発光部の発光ないし点灯開始の遅延時間を読み出すとともに、前記時計部ないし計時部に前記遅延時間をカウントダウンさせるよう制御し、前記カウントダウンがゼロになった場合には、前記受信側の発光装置を点灯状態に制御するとともに、当該受信側の発光装置の残点灯時間のカウントダウンを開始し、前記残点灯時間がゼロになった場合には、前記受信側の発光装置を消灯状態に制御するものであって、
前記残点灯時間のカウントダウン制御中の前記受信側の発光装置は、消灯状態にある他の受信側の発光装置へ前記遅延発光指示コマンド信号を送信することにより、前記他の消灯状態にある受信側の発光装置を遅延点灯させる
ことを特徴とする発光装置。
【請求項４】
請求項１〜３のいずれか１項に記載の発光装置を含む情報処理システム。
【発明の詳細な説明】
【技術分野】
【０００１】
本発明は、広くイベント等に使用される発光装置に関し、より詳細には、通信機能を備えた発光装置及び当該発光装置を含むシステムに関する。
【背景技術】
【０００２】
従来、イベントやセレモニーにおいては、ロウソク（キャンドル）を使ったキャンドルリレー等の演出が行われてきた。
【０００３】
かかるキャンドルリレー等の演出は、電子機器を用いて疑似的に実施されている（非特許文献１、２）。
【０００４】
すわなち、非特許文献１、２には、電子機器用アプリケーションソフトウェアであって、当該ソフトウェアをインストールして特定の高周波音を出力する特定のサイトにアクセスして当該高周波音を受信すると疑似的に聖火を貰い受けることができ、その聖火はアクセスした電子機器の表示画面上にロウソクの炎（ないし、火、明かり）として表示され、同ソフトウェアがインストールされている他の電子機器に近接させると高周波音の伝達により炎を疑似的に伝搬させることができる演出技術が開示されている。なお、当該電子機器に表示されたロウソクの炎は、画面上のワイプ操作等によって消すことができる。
【０００５】
また、情報通信可能な電子灯篭も提案されている（特許文献１）。
【０００６】
すなわち、特許文献１には、電子装置内蔵型灯籠であって、灯部に配置される灯部電子表示装置３と、情報表示板７と、誘導無線用送受信装置４と、監視用カメラ６Ａと、テレビカメラ６Ｂと、スピーカ９Ａと、マイク９Ｂと、緊急用呼出ボタン９Ｃと、各種センサ９Ｄと、無線も含めた各種通信制御装置と、情報コンセント８と、監視制御装置と、放送装置２４と、照明装置２５と、電源装置１３とが実装され、灯部の他に、近傍を通る人に情報を報知する情報報知手段を備えたことを特徴とする電子灯籠が開示されている。
【先行技術文献】
【非特許文献】
【０００７】
【非特許文献１】チームラボ株式会社，「つながるキャンドル」，2014年5月21日，インターネット＜http://candle.team-lab.com/＞
【非特許文献２】Team Lab Inc.，アプリケーションソフトウェア「つながるキャンドル」，2013年11月15日、インターネット＜https://play.google.com/store/apps/details?id=com.teamlab.connectingcandles＞
【特許文献】
【０００８】
【特許文献１】特開２０００−３１５４０４号公報
【発明の概要】
【発明が解決しようとする課題】
【０００９】
しかしながら、非特許文献１、２に開示された技術は、情報伝達可能な電子機器をさらに有効に活用したコミュニケーションツールとして改善の余地がある。また、特許文献１に開示された装置は、種々の情報伝達が可能ではあるものの、情報伝達を受けた者同士が一緒に楽しめるといった多様なコミュニケーションを実現したり、コミュニケーションによる「演出」にまで高めたりすることはできなかった。
【００１０】
特に、イベントやセレモニー等においてキャンドルやキャンドルリレーを模した電子機器を用いる場合には、従来行われてきた炎や火の伝達といったモチーフの実現に加え、電子機器の長所を生かした多彩な演出等が期待される。
【課題を解決するための手段】
【００１１】
そこで、本発明の一実施形態にかかる発光装置は、複数の発光装置と前記発光装置の発光に関するコマンド信号を発信する１以上の発信装置とからなる情報処理システムにおける発光装置であって、前記発光装置は、発光部とコマンド信号受信部と時計部ないし計時部と制御部とを少なくとも備え、前記コマンド信号には、少なくとも残点灯時間情報が含まれ、前記制御部は、前記発信装置から発信されたコマンド信号を前記コマンド信号受信部によって受信した後に、前記コマンド信号に含まれる前記残点灯時間情報から残点灯時間を読み出すとともに、前記時計部ないし計時部に前記残点灯時間をカウントダウンさせるよう制御することを特徴とすることを特徴とする。
【００１２】
また、本発明の一実施形態にかかる発光装置は、複数の発光装置と前記発光装置の発光に関するコマンド信号を発信する１以上の発信装置とからなる情報処理システムにおける発光装置であって、前記発光装置は、発光部とコマンド信号受信部と時計部ないし計時部と制御部とを少なくとも備え、前記コマンド信号には、少なくとも前記発光部の発光ないし点灯を遅延させるための遅延時間情報が含まれ、前記制御部は、前記発信装置から発信されたコマンド信号を前記コマンド信号受信部によって受信した後に、前記コマンド信号に含まれる遅延時間情報から前記発光部の発光ないし点灯開始の遅延時間を読み出すとともに、前記時計部ないし計時部に前記遅延時間をカウントダウンさせるよう制御することを特徴とする。
【発明の効果】
【００１３】
本発明の一実施形態にかかる発光装置等によれば、従来のキャンドルリレーを模した信号伝達のみならず、リレー情報を受けた者同士が一緒に楽しむことができ、さらには、電子機器の長所を活かした多彩なコミュニケーション演出が可能になるという特段の効果を奏する。
【図面の簡単な説明】
【００１４】
【図１】本発明の一実施形態にかかるシステムの全体構成例を説明する説明図である。
【図２】本発明の一実施形態にかかるイベント用発光装置の外観構成を説明する説明図である。
【図３】本発明の他の実施形態にかかるイベント用発光装置の外観構成のバリエーションを説明する説明図である。
【図４】本発明の一実施形態にかかるシステムに含まれる発信装置の外観構成を説明する説明図である。
【図５】本発明の一実施形態にかかるイベント用発光装置の機能ブロックを説明する説明図である。
【図６】本発明の一実施形態にかかるシステムに含まれる発信装置の機能ブロックを説明する説明図である。
【図７】本発明の他の実施形態にかかるシステムに含まれる代替的な発信装置としてのタブレット端末の外観構成及び機能ブロックを説明する説明図である。
【図８】本発明の一実施形態にかかるイベント用発光装置の受信時の動作フローを説明するフローチャートである。
【図９】本発明の一実施形態にかかるイベント用発光装置の送信時の動作フローを説明するフローチャートである。
【図１０】本発明の一実施形態にかかるシステムに含まれる発信装置の動作フローを説明するフローチャートである。
【発明を実施するための形態】
【００１５】
本発明の一実施形態にかかるイベント用発光装置及び該装置を用いたシステムについて、図面を参照しながら詳細に説明する。
【００１６】
図１に、本発明の一実施形態にかかるシステムの全体構成例を示す。情報処理システム１０は、その典型的な構成として、情報管理サーバ１０１と、発信装置１０２と、発信装置１０２から信号ないしデータを受信可能なイベント用発光装置１０３ａ〜１０３ｊとで構成される。また、付加的に、図に示されるようなＰＣ（コンピュータ）ないしタブレット端末１０５ａ〜１０５ｂを設けることもできる。また、図示されていないが、パソコンやタブレット端末以外にも、携帯電話、携帯情報端末（ＰＤＡ）等の各種情報処理装置（以下、総称して「ユーザ端末」とも言うこともある）を含むことができる。
【００１７】
これらのサーバ及び装置や端末間は、図１に示されるように、専用回線やインターネット１０９等の公衆回線で相互に通信可能に接続されている。なお、回線は有線であっても無線であってもよく、無線の場合、図示しない基地局や無線ルータ等を介してインターネット１０９に乗り入れ、更に回線を介して情報管理サーバ１０１と相互に通信可能に接続することができる。
【００１８】
なお、本願の出願時点での携帯電話や携帯情報端末ないしタブレット端末等のユーザ端末は、ＰＣに比肩する処理能力（通信処理速度や画像処理能力等）を備えているものも多く、小型のコンピュータとも言うべきものである。
【００１９】
また、本発明の実施に必要なソフトウェアないしプログラムは、通常、サーバやＰＣ、携帯情報端末の記憶部におけるＨＤＤないしＳＳＤ等にインストールないし記憶され、あるいは、発信装置や発光装置のＲＯＭ等のメモリに格納される。そして、ソフトウェアないしプログラムの実行時には、必要に応じて記憶部内のメモリ上にその全部又は一部のソフトウェアモジュールないしプログラムモジュールとして読み出され、適宜ＣＰＵにおいて演算実行される。
【００２０】
なお、演算実行は必ずＣＰＵ等の中央処理部で行われる必要はなく、図示しないディジタルシグナルプロセッサ（ＤＳＰ）等の補助演算装置を用いることもできる。
【００２１】
また、情報管理サーバ１０１のハードウェアブロック構成も、基本的にはＰＣを採用することができる。なお、本発明はこれに限定されるものではないが、情報管理サーバ１０１は、必要に応じてそのハードウェアスペックを向上させるにあたり、複数のＰＣを並列的に作動させることによって大規模データの処理に適した構成をとることもできる。
【００２２】
図２に、本発明の一実施形態にかかるイベント用発光装置の外観構成を示す。図２（Ａ）において、イベント用発光装置２１は、本体部２１１と発光部２１２とからなり、模式的にロウソクないしキャンドルの形状をしている。その典型的な大きさは、円筒形状の本体部２１１の直径が３５〜４０ｍｍ程度、本体部２１１の底部から発光部２１２の頂部までの高さが２５〜３５ｍｍ程度である。
【００２３】
構造上は、本体部２１１と発光部２１２とをＡＢＳ樹脂やポリプロピレンプラスチック等で一体的に成型してもよいし、２つの部材を別々に成型し（この場合、異なる素材を使用したり素材の透明度等を異ならしめたりすることができる）、ねじ込み等によって結合するような構成としてもよい。
【００２４】
そして、本体部２１１内部には、電池を格納するための電源ボックスや信号処理を行うためのマイコン、赤外線通信ユニット等が収納されており、発光部２１２には図示しないＬＥＤ等の発光素子がセットされている。また、本体部２１１には、図示しない電源ＯＮ／ＯＦＦスイッチを設けることができ、さらに、充電可能な二次電池を電源として採用する場合には、充電のためのソケットを設けることもできる。
【００２５】
本体部２１１に取り付けられたボタン２１３は、後述する信号ないしデータを送信するための送信ボタンである。
【００２６】
また、本体部２１１の側部には、発光部２１２とは別の発光部２１４ａ〜２１４ｆが設置されており、各発光部には図示しないＬＥＤ等の発光素子がセットされている。
これら発光部の数は、１以上の任意の個数を採用することできる。図２（Ａ）において例示的に示された発光部２１２や２１４ａ〜２１４ｆは、後述するように様々な設置形態を採用することができ、また、後述する様々な発光演出を行うことができるように構成されたものである。
【００２７】
図２（Ｂ）には、図２（Ａ）に示したイベント用発光装置２１の代替的な装置が示されている。同図（Ｂ）のイベント用発光装置２５はカードデバイスとして実装され、カード本体部２５１の任意の位置に、信号ないしデータを送信するための送信ボタン２５２（ボタン２１３に対応するボタン）が組み込まれている。また、同図（Ｂ）に示されるように、本体部２５１の上面中央部には、円形状に８個の発光部２５３ａ〜２５３ｈが設置されており、後述する様々な発光演出を行うことができるように構成されている。発光装置２１と同様に、発光装置２５に設置される発光部の数や設置位置も任意である。
【００２８】
なお、図示しないが、カード本体部２５１には、イベント用発光装置２１と同様に、電源ＯＮ／ＯＦＦスイッチを設けることができ、さらに、充電可能な二次電池を電源として採用する場合には、充電のためのソケットあるいはプラグを設けることもできる。
【００２９】
なお、イベント用発光装置２１、２５のハードウェアブロック構成例については、図５を参照して詳述する。
【００３０】
図３に、本発明の他の実施形態にかかるイベント用発光装置の外観構成のバリエーションを示す。図３（Ａ）には、立体ハート型のイベント用発光装置３１が示されている。１以上の任意の数の発光部や送信ボタン等（不図示）を任意の位置に設置することができる。同様に、図３（Ｂ）には、くちびる型のイベント用発光装置３２が示されており、図３（Ｃ）には、サムアップ型のイベント用発光装置３３が示されている。いずれの発光装置においても、１以上の任意の数の発光部や送信ボタン等（いずれも図３において不図示）を任意の位置に設置することができる。
【００３１】
本発明にかかるイベント用発光装置の形状は、上記の他にも様々な形態のものを採用することができる。
【００３２】
図４に、本発明の一実施形態にかかるシステムに含まれる発信装置の外観構成を示す。図４（Ａ）において、発信装置４１は、本体部４１１と発光部４１２とからなり、必要に応じて受脚部４１３を設けるなどして、全体としては模式的に篝火の形状をしている。その典型的な大きさは、本体部４１１の直径が３５０〜４５０ｍｍ程度、本体部４１１の底部から発光部４１２の頂部までの高さが４００〜５００ｍｍ程度であり、受脚部４１３を含めた全長は１５００〜１８５０ｍｍ程度である。
【００３３】
そして、本体部４１１内部には、電源部や信号処理を行うためのマイコン、赤外線通信ユニット、ネットワーク通信モジュール等が収納されており、発光部４１２には図示しないＬＥＤ等の発光モジュールがセットされている。
【００３４】
図４（Ｂ）には、図４（Ａ）に示した発信装置４１の代替的な形態が示されている。同図（Ｂ）の発信装置４２は、発信装置４１と同様に本体部４２１と発光部４２２とからなるが、全体的な大きさは発信装置４１の本体部４１１及び発光部４１２よりはやや小ぶりとなる。そして発信装置４２には、持ち手４２３が取り付けられて携帯に容易な構成となっている。この持ち手４２３を含めた発信装置４２の全長は、一例として、５００ｍｍ〜８００ｍｍ程度である。発信装置４１が設置型であるのに対し、発信装置４２は携行容易に構成されている。
【００３５】
本発明にかかる発信装置は、上記の形態の他にも、マッチ棒型、マッチ箱型、ランプ型など、様々な形態のものを採用することができる。
【００３６】
また、図４（Ｃ）に、図４（Ａ）及び（Ｂ）に示した発信装置のさらに代替的な装置が示されている。同図（Ｃ）の発信装置４５は、タブレット端末である。発光部は、タブレット装置のディスプレイを使用するか、あるいは図示しないスロット又は接続ポートに図示しない外付けの発光モジュール等を接続して発光させることができる。
【００３７】
なお、発信装置４１、４２のハードウェアブロック構成例については、図６を参照して詳述する。発信装置にタブレット端末４５を代替させる場合には、少なくとも図６に示したハードウェアブロック構成を含むものであればよい。
【００３８】
図５に、本発明の一実施形態にかかるイベント用発光装置２１等を構成するハードウェアの機能ブロック図を示す。発光装置２１等の動作は、以下に説明するハードウェアの個々の動作、及びこれらのハードウェア及びソフトウェアの連携動作によって実現されている。
【００３９】
図５において、ハードウェアブロック全体としての発光装置５０は、筐体５０１内に、マイコンユニット５０２と、赤外線発光／受光モジュール５０３と、メモリ５０４と、入出力Ｉ／Ｏ５０５と、スイッチ５０６と、発光ＬＥＤ５０７と、時計部／計時部５０８と、電源ないし電池５０９とが組み込まれている。
【００４０】
なお、入出力Ｉ／Ｏ５０５、及び／又は、赤外線発光／受光モジュール５０３のうちの発光モジュールは、製造上のコストに鑑みて省略することができる（例えば、赤外線発光モジュールを省略した発光装置は、信号ないしデータ受信専用のデバイスとなる）。
【００４１】
また、マイコンユニット５０２、赤外線発光／受光モジュール５０３、メモリ５０４（及び入力力Ｉ／Ｏ５０５）の全部又はそのほとんどを１つのユニットにまとめたモジュール（一例として、ｍａｘｉｍ社製赤外線モジュール内臓型１６ビットマイクロコントローラ「ＭＡＸＱ６１０」など）を採用することもできる。
【００４２】
スイッチ５０６には、電源ＯＮ／ＯＦＦ用スイッチや信号（データ）送信スイッチ等が含まれ、発光ＬＥＤ５０７には、１以上のモノクロＬＥＤ（単に明滅を表現可能な発光デバイス）やフルカラーＬＥＤ（ＲＧＢの３色をそれぞれ出す３つのＬＥＤが１つのＬＥＤケースに格納されたデバイス）が含まれる。
【００４３】
また、時計部／計時部５０８は、時刻やタイマー等を計時するためのＩＣであり、電源５０９には、ボタン電池や充電可能な二次電池を採用することができる。
【００４４】
なお、時計部／計時部５０８には、装置５０の電源が入っている場合には電源５０９からの電源供給を受けるが、装置としての電源が切られている場合であっても内蔵電池から電源供給を受けて時刻やタイマーカウントを刻み続けることができる計時専用の集積回路を採用することもできる。
【００４５】
図６に、本発明の一実施形態にかかる発信装置４１等を構成するハードウェアの機能ブロック図を示す。発信装置４１等の動作は、以下に説明するハードウェアの個々の動作、並びに、これらのハードウェア及びソフトウェアの連携動作によって実現されている。
【００４６】
図６において、ハードウェアブロック全体としての発信装置６０は、筐体６０１内に、マイコンユニット６０２と、赤外線発光／受光モジュール６０３と、メモリ６０４と、入出力Ｉ／Ｏ６０５と、スイッチ６０６と、発光ＬＥＤ６０７と、時計部／計時部６０８と、電源ないし電池６０９とが組み込まれ、さらに、インターネットなどのネットワークとの通信が可能なネットワーク通信モジュール６１０が組み込まれる。
【００４７】
図７に、本発明の他の実施形態にかかるシステムに含まれる代替的な発信装置としてのタブレット端末の外観構成（同図（Ａ））及び機能ブロック（同図（Ｂ））を示す。図７（Ａ）において、タブレット端末（情報処理装置）７０は、筐体部７０１とディスプレイ７０２と筐体７０１の下部中央部に設けられたハードウェアボタン７０３とからなる。ディスプレイ７０２は典型的には液晶ディスプレイ（ＬＣＤ）等で構成され、文字や画像など様々な情報を表示することができる。また、ディスプレイ７０２にメニューボタンやソフトウェアキーボードを表示させ、これを指ないしタッチペン（不図示）等で触れることによりタブレット端末７０への指示（コマンド）とすることができる。この点で上記ハードウェアボタン７０３は必須の構成要素ではないが、本発明の説明の便宜上、一定の機能を担うボタンとして実装されている。もちろん、これらハードウェアボタン７０３を、ディスプレイ７０２の一部に表示させたメニューボタンで代替させることも可能である。
【００４８】
また、ディスプレイ７０２には、マルチタッチ入力パネルが組み込まれており、タッチ入力パネル上でのタッチ入力位置座標が入力デバイスインタフェース（不図示）を介してタブレット端末７０の処理系（ＣＰＵ等）へ送信され処理される。そして、このマルチタッチ入力パネルは、パネルに対する複数の接触点を同時に感知することができるよう構成されている。この検出（センサ）については様々な方法で実現することができ、必ずしも接触センサに限られず、例えば、光学式のセンサを利用してパネルに対する指示点を抽出することも可能である。さらに、センサには、接触式のセンサや光学式のセンサのほか、人の肌の接触を感知する静電容量方式のセンサを用いることも可能である。
【００４９】
また、図７（Ａ）には現れていないが、タブレット端末７０は、マイクやスピーカを備えることもできる。この場合にはマイクより拾ったユーザの声などを判別して入力コマンドとすることも可能である。さらに、図７（Ａ）には現れていないが、タブレット端末７０の背面等には、ＣＭＯＳ等のカメラデバイスを実装することができる。
【００５０】
図７（Ｂ）に、図７（Ａ）に示したタブレット端末７０を構成するハードウェアの機能ブロック図を例示する。端末７０の動作は、以下に説明するハードウェアの個々の動作、並びに、これらのハードウェア及びソフトウェアの連携動作によって実現されている。
【００５１】
図７（Ｂ）において、発信装置としてのタブレット端末のハードウェアブロック全体としての機能ブロック７５は、大別すると、図７（Ａ）の各装置における図示しないハードウェアボタン、そして、マルチタッチ入力パネル（図７（Ａ）のディスプレイ７０２や図７（Ｂ）の表示部７５０４に設けられる）や、図示しないマイク等で構成される入力部７５０１と、プログラムやデータ等を記憶するためのハードディスク、ＲＡＭ及び／又はＲＯＭ等で構成される記憶部７５０２と、プログラムによって様々な数値計算や論理演算を行うＣＰＵによって構成される中央処理部７５０３と、ディスプレイ７０２等で構成される表示部７５０４と、チップや電気系統等の制御を行うための制御部７５０５と、インターネットにアクセスするためのスロットや光通信を行うためのポート、及び通信インタフェースから構成される通信インタフェース部７５０６と、スピーカやバイブレーション等の出力部７５０７と、時刻管理やタイマー等の計時を行うための時計部ないし計時部７５０８と、ＣＭＯＳ等のイメージセンサからなるセンサ部７５０９と、装置内の各モジュールに電源を供給するための電源部７５１０とからなり、これらのモジュールは必要に応じて適宜通信バスや給電線（図７（Ｂ）においては、便宜上各線が適宜区分された結線７５１１としてひとまとめに表す）によって接続されている。
【００５２】
なお、センサ部７５０９には、タブレット端末の位置を特定するためのＧＰＳセンサモジュールを含めることとしても良い。また、センサ部７５０９を構成するＣＭＯＳ等のイメージセンサによって検知された信号は、入力部７５０１において入力情報として処理される。
【００５３】
また、本発明の実施に必要なプログラムないしソフトウェアは、通常、記憶部７５０２を構成するハードディスク等にインストールないし記憶され、プログラムないしソフトウェアの実行時には、必要に応じて記憶部７５０２内のメモリにその全部又は一部のプログラムモジュールないしソフトウェアモジュールとして読み出され、適宜ＣＰＵ７５０３において演算実行される。
【００５４】
なお、演算実行は必ずしもＣＰＵ等の中央処理部７５０３で行われる必要はなく、図示しないディジタルシグナルプロセッサ（ＤＳＰ）等の補助演算装置を用いることもできる。
【００５５】
次に、図８〜１０を参照して、本発明の一実施形態にかかるシステムに含まれる各装置の動作フローを説明する。本発明の一実施形態にかかるシステムは、上述した装置による連携動作によって、イベントやセレモニー等においてキャンドルやキャンドルリレーを模した電子機器を用いた単なる炎（のモチーフ）の伝達に留まらず、電子機器が備える通信機能を活かした新たなコミュニケーション演出をユーザに提案するものである。
【００５６】
まず、図８に、本発明の一実施形態にかかるイベント用発光装置の受信時の動作フローを示す。イベント用発光装置（１０３ａ〜１０３ｊ、２１、２５、３１〜３３）は、ロウソクやキャンドルを模してＬＥＤライトを点灯させることができるほかに、次の機能を有することが特徴となっている。
［本発明の基本概念］
（１）赤外線発光／受光モジュール等の通信ユニットを介して、所定のプロトコルを有する信号ないしデータ（主として、イベントコマンド。以下、「ＥｖｅｎｔＣＭＤ」という）の送受信を行う。この信号ないしデータ（主として、ＥｖｅｎｔＣＭＤ）は、後述するように、他のキャンドル（他のイベント用発光装置２１、３１等）や篝火やトーチ（発信装置４１等）から受け渡される（受信する）ものであって、必要に応じて他の発光装置へ送信伝達することもできる。
（２）上記ＥｖｅｎｔＣＭＤ中の所定のプロトコルには、点灯（発光）パターンを定義することができる。
（３）典型的には、信号ないしデータの受信完了の合図として発光部（ＬＥＤ）の火が灯されるが、後述するように、タイマー機能によって点灯時刻（点灯開始時間）を正確に遅らせることができる（正確性の一例として、１０ｍｓ以内の誤差）。かかる点灯時刻の指定や点灯開始の遅延時間情報は、ＥｖｅｎｔＣＭＤ内に定義することができる。
（４）信号ないしデータのオプションとして、点灯（発光）パターンが定義される上述のＥｖｅｎｔＣＭＤの他に、発光装置それ自体の識別ＩＤ（以下、「キャンドルＩＤ」、「ＣＩＤ」という）を追加することができる（具体的には各発光装置のメモリに自身のＣＩＤが保持される）。そして、このＣＩＤをＥｖｅｎｔＣＭＤの中に取り込み他の発光装置へ送信したり、同様に他の発光装置のＣＩＤを受信したりして、自身のメモリ内に記憶保持することができる。
【００５７】
図８のステップＳ８０１において、発光装置２１等の電源スイッチがオンにされると、ハードウェアとしての動作が開始される。しかしながら、この電源スイッチのオンによって必ず発光部（ＬＥＤ）が点灯するという訳ではない。つまり、電源スイッチのＯＮ／ＯＦＦは発光部の点灯／消灯を意味するのではない。後述するように、その発光装置がＥｖｅｎｔＣＭＤを保持しており、かつ、ＥｖｅｎｔＣＭＤ中の点灯（発光）タイミング条件が満たされているか否かによって発光部の点灯／消灯を決定することができる。例えば、発光装置がＥｖｅｎｔＣＭＤを保持しており、かつ、ＥｖｅｎｔＣＭＤ中の点灯（発光）タイミング条件が満たされていれば発光部は点灯し、発光装置がＥｖｅｎｔＣＭＤを保持していないか、あるいは、ＥｖｅｎｔＣＭＤを保持していても点灯（発光）タイミング条件が満たされていなければ、点灯（発光）しないように制御することができる。
【００５８】
また、装置の実装態様によるが、ステップＳ８０１における発光装置の電源をオンにする前に、既に他の発光装置や発信装置からＥｖｅｎｔＣＭＤを受け渡されて自身のメモリに記憶されており、かつ、電源オフによってもその情報を維持させる場合には、電源オン後には、点灯（発光）タイミング条件が満たされれば発光部は発光する。一方で、電源オフによってＥｖｅｎｔＣＭＤを破棄する仕様にする場合には、最初の電源オン時には（ＥｖｅｎｔＣＭＤは保持されていないので）、発光部は必ず消灯した状態となる。
【００５９】
ステップＳ８０１において起動状態に入った発光装置は、ステップＳ８０２でスイッチがオフにされると、ステップＳ８１１へ進み、メモリに記憶されているＥｖｅｎｔＣＭＤ等の情報を消去（あるいは、保持フラグを解除）して終了する（ステップＳ８１２）が、そうでない場合（ステップＳ８０２において、Ｎｏ）にはステップＳ８０３へ進む。なお、ステップＳ８１１は、他の実施形態においては省略することができる（この場合、発光装置の電源をオフにしてもＥｖｅｎｔＣＭＤ等の情報は保持される）。
【００６０】
次に、ステップＳ８０３においては、発光装置が既に保持しているＥｖｅｎｔＣＭＤ等を送信するための送信ボタンが押下されたかどうかの判断がなされる。押下された場合（ステップＳ８０３において、Ｙｅｓ）、ステップＳ８０４へ進み、信号ないしデータの送信処理が行われる（図９を参照して後述）。ステップＳ８０３においてＮｏの場合は、ステップＳ８０５へ進む。
【００６１】
ステップＳ８０５では、発光装置が既に保持しているＥｖｅｎｔＣＭＤに基づくイベントないし動作指示が発生したかどうかが判断される。イベントないし動作指示の詳細はプロトコルの具体例を含めて後述するが、このイベントないし動作指示には、大別して次のものがある。
（１）プロトコルによって定義された発光パターンに基づく発光指示
（２）プロトコル定義による発光タイミング（発光時刻）条件が満たされたこと（時計部ないし計時部を使って判断される）による遅延発光指示
（３）上記（１）及び（２）の組み合わせ
（４）発光時間の延長（タイマーの加算ないし更新）
（５）タイマーやユーザ操作による消灯指示
【００６２】
なお、上記（４）及び（５）の「タイマー」は、発光装置が備える時計部ないし計時部によって実現され、予め定められた時刻になるか所定時間が経過したことによって消灯指示となる。また、ユーザ操作による消灯とは、一例として、発光装置の受光部に入光する光をユーザが一定時間遮る（遮断する）ことによって消灯指示とされる。あるいは、発光装置に加速度センサ（不図示）が搭載されている場合には、ユーザが発光装置を振る（ワイプ動作）することによって消灯指示とすることも可能である。
【００６３】
ステップＳ８０５において、イベントないし動作指示があった（Ｙｅｓ）場合には、ステップＳ８０６へ進み、上述した発生イベントないし動作指示に基づく発光動作、遅延発光、消灯動作を行う（詳細プロトコルについては、後述）が、そうでない（ステップＳ８０５において、Ｎｏ）場合には、ステップＳ８０７へ進む。
【００６４】
ステップＳ８０７では、ＥｖｅｎｔＣＭＤが受信されたかどうかが判断される。これは、他のキャンドル（他の発光装置）や篝火やトーチ（発信装置４１等）から送信される信号ないしデータである。
【００６５】
このとき、ＥｖｅｎｔＣＭＤの送受信は、装置同士が一定距離内に近づいている状態で送信元の発光装置の送信ボタンが押下される（あるいは、送信側の装置の送信ボタンを押下して装置同士が一定距離内に近づく）と、近接無線通信により実行される。なお、通信方式は、赤外線等の近接無線通信のほか、従来のように高周波音を使用することもできることは言うまでもない。
【００６６】
そして、このＥｖｅｎｔＣＭＤを受信する（ステップＳ８０７において、Ｙｅｓ）と、ステップＳ８０８へ進み、そうでない（ステップＳ８０７において、Ｎｏ）の場合はステップＳ８０２へ復帰する。
【００６７】
典型的には、ステップＳ８０２、ステップＳ８０３、ステップＳ８０５、及びステップＳ８０７は、イベントドリブンな割り込み処理としてサイクリックに巡回監視制御されている（イベントハンドラ）。一方で、ステップＳ８０４やステップＳ８０６は、イベントハンドラには組み込まれない独立した処理系として実装することもできる。
【００６８】
次に、ステップＳ８０７においてＥｖｅｎｔＣＭＤが受信されたと判断されてステップＳ８０８に進むと、ここでは、受信側発光装置が、ステップＳ８０７において受信した受信ＥｖｅｎｔＣＭＤに基づいてコマンドを登録ないし更新すべきかどうかが判断され、コマンドを登録ないし更新する必要がない場合（ステップＳ８０８において、Ｎｏ）には、ステップＳ８１０へ進むが、ステップＳ８０７にて受信したＥｖｅｎｔＣＭＤに基づいてコマンドを登録ないし更新する（コマンドの一部又は全部を書き換える）必要がある（ステップＳ８０８において、Ｙｅｓ）場合には、ステップＳ８０９に進み、ＥｖｅｎｔＣＭＤが新たに登録され、そのコマンドの一部又は全部が実行されるか、あるいはコマンドの内容が更新処理され、必要に応じて更新されたコマンドの一部又は全部が実行される。そして、ステップＳ８１０へ進む。
【００６９】
ここで、コマンドの実行とは、即時の発光（点灯）指示と判断されれば発光部を発光ないし点灯させ、所定時間経過後の発光（点灯）指示と判断されれば所定時間経過後に発光ないし点灯させるようにタイマーを起動させる。あるいは、コマンドの内容の更新処理には、発光（点灯）時間の加算処理ないし更新処理や、発光（点灯）パターンの変更処理などが含まれる。
【００７０】
ステップＳ８１０では、ＥｖｅｎｔＣＭＤを送信してきた発光装置（他の発光装置又は発信装置）に自身のＣＩＤを返信する。これは、送信元の発光装置に、自身がいかなるＣＩＤを有する他の発光装置へＥｖｅｎｔＣＭＤを送信したかを記録させるためである。
なお、このステップＳ８１０の処理は、必ずしも本発明の必須の要件ではなく必要に応じて割愛することができる。
【００７１】
図９に、本発明の一実施形態にかかるイベント用発光装置の送信時の動作フローを示す。既に図８を参照して説明したように、本動作フローは、図８のステップＳ８０３及びステップＳ８０４の詳細フローとなる。発光装置の送信時には、送信元の発光装置の送信ボタンを押下し、他の発光装置に対して一定の距離内に近づくなどして近接無線通信処理が開始される。送信元の発光装置からは、ＥｖｅｎｔＣＭＤが送信される（必要に応じて自身のＣＩＤを送信することもできる）。
なお、受信専用のイベント用発光装置の場合には、本動作フローによる送信時動作は行われない。
【００７２】
図９のステップＳ９０１においてスイッチがオンされる（図８のＳ８０３において、Ｙｅｓに対応）と、ステップＳ９０２に進み、まず送信元の発光装置内にＥｖｅｎｔＣＭＤが既に保持されているかどうかがチェックされ、保持されていない（Ｎｏ）場合は送信処理ができないので終了する（ステップＳ９０７）。見かけ上は何も起こらないことになるので、このとき、何らかのメッセージを出すこととしてもよい（例えば、発光部を一定時間アラート点滅させるなど）。
【００７３】
ステップＳ９０２において、ＥｖｅｎｔＣＭＤが保持されている（Ｙｅｓ）場合には、送信元の発光装置のメモリからこのＥｖｅｎｔＣＭＤを読み出す（ステップＳ９０３）。
【００７４】
次に、ステップＳ９０４では、読み出したＥｖｅｎｔＣＭＤに基づいて送信用コマンドを生成する。例えば、発光（点灯）までカウントダウンされている遅延発光指示コマンドであれば、送信先の発光装置の将来の発光タイミングを合わせるために、送信元の発光装置内の現在のカウント値を送信用コマンドに含ませるなどの処理がなされる（時刻指定による遅延発光指示コマンドであれば、発光開始時刻そのものが送信用コマンドに組み込まれる）。そして、ステップＳ９０５へ進み、生成されたコマンド（ＣＭＤ）を既知の赤外線通信規格等のプロトコルに従って送信先発光装置へ送信する。
【００７５】
なお、ステップＳ９０６において、送信先の発光装置から当該発光装置のＣＩＤを受信し、メモリに保存／登録することもできる。このＣＩＤの授受は、送信先発光装置から見た場合の図８のステップＳ８１０において返信されてきたＣＩＤの受信動作である。これによって、送信元の発光装置は、自身がどんなＣＩＤを持つ発光装置へＥｖｅｎｔＣＭＤ等を送信したかを保持するために受け手の発光装置のＣＩＤを保存／記録することができる。
そして、送信処理を終了する（ステップＳ９０７）。
【００７６】
［ＥｖｅｎｔＣＭＤ等の送受信の具体例（コマンドプロトコルの具体例）］
ここで、図８〜９の動作フローを踏まえたＥｖｅｎｔＣＭＤの中身（プロトコル）について説明する。ＥｖｅｎｔＣＭＤは、発光装置の発光タイミングや発光パターン、消灯を制御するためのコマンドであり、基本的には、発信元の発光装置から発信先の発光装置へ同じＥｖｅｎｔＣＭＤが送信される（カウントダウン式のタイマー情報が含まれる場合には、常時カウントダウンが進められているので完全に同一のＥｖｅｎｔＣＭＤが送信されるわけではない）。これらのコマンド例は、下表のとおりである。
【００７７】
（１）発光指示コマンド（残点灯時間付き）
【表１】
0006532013.tif 000002
上表の例では、送信元CIDと、点灯（点滅）パターンPattenと、消灯までの時間”CountDownOff”といった３つのデータフィールドを含むコマンドプロトコル（コマンド構文）が例示されている。各データフィールドは、一例として、１〜数バイトの長さを有する（以下、各データフィールドをどの程度の長さにするかは設計事項であり本発明の本質ではないので、詳細には説明しない）。
【００７８】
また、上表のコマンドでは、キャンドルリレーが行われた場合の各発光装置の点灯時間が有限となる例が示されている。つまり、消灯までの時間を意味する”CountDownOff”に、有限の点灯時間（例えば、秒単位で表わされる、０〜６５５３５までの数値）が定義されてタイマーによってカウントダウン処理され、消灯までの時間が管理される。
【００７９】
また、点灯パターンには、発光装置の発光部としてフルカラーＬＥＤが採用されている場合には、受け取ったＥｖｅｎｔＣＭＤ（表現コードとも言うべき点灯パターンが定義されていることになる）に従った、色やゆらぎの強弱でロウソクの明かりを表現することも可能となる。例えば、青いトーチ（青く発光する発信装置）から火をもらうときに、何等かの表現コードが含まれるＥｖｅｎｔＣＭＤが受け渡されれば、受け取ったロウソク（発光装置）側でも同じ青の光が点灯するようなキャンドルリレーを実現できる。このような特定の表現コードで定義される個別の点灯パターンがリレーされることにより、「自分（達）が取ってきた（貰い受けた）特別の明かり」という認識を持ったり共有したりすることができるようになる。
【００８０】
また、点滅パターンには、何秒ごとに一定の明滅パターンを繰り返すなどといった次の（ａ）〜（ｄ）のようなパターンを採用することもできる。なお、（ａ）〜（ｄ）における１〜８の番号は、例えば、図２（Ｂ）に示された発光装置２５上に設置された８つの発光部２５３ａ〜２５３ｈにそれぞれ対応するものとする。
（ａ）６０秒ごとに、１→２→３→４→５→６→７→８の順に０．１秒ずつサイクリックに各発光部を点灯させる（ＬＥＤ点灯が回転するように見える）。このとき、点灯色が指定されていれば指定の色で点灯させる。かかる点灯順序や点灯色の指定は、”Patten”において定義される。
（ｂ）３６０秒ごとに、「１２３４」→「３４５６」→「５６７８」の順に０．３秒ずつサイクリックにそれぞれの発光部群を点灯させる（ＬＥＤの帯が回転するように見える）。このとき、点灯色が指定されていれば指定の色で点灯させる。かかる点灯順序や点灯色の指定は、”Patten”において定義される。
（ｃ）３０秒ごとに、１だけが他の発光部よりも３倍時間点灯するように制御する。
（ｄ）”PATTERN”として何も点灯させないという明示的な指定を行う。
【００８１】
本発明は、次に述べるものに限定されるものではないが、１つの発光部の点灯／消灯の時間は３０ｍｓ程度がひとつの目安となり、１つの点灯（点滅）パターンの長さは、６秒〜１０秒程度に設定される。
例えば、ここまでに述べたスケールのパターン表現を指定するためには、コマンド中のデータフィールドにて表現される記号数字としては、６４進数表現（0-9,a-z,A-Z,_,*）で、最大１８桁程度あれば足りる（不足している場合には、桁数を増やせば良い）。
【００８２】
（２）残点灯時間の加算／書き換えコマンド
【表２】
0006532013.tif 000003
上表のコマンドは、消灯までの時間（CountDownOff）を延長したり上書したりするためのコマンドである。残点灯時間が１００（点灯時間は残り１００秒で、１秒ごとにカウントダウンされている）のとき、送信元発光装置から”ADD100”という指示が含まれたコマンドを受信した場合には、残点灯時間は、この瞬間に２００（２００秒）に増加される（そして、そこから再びカウントダウンされる）。また、”REST150”という指示が含まれたコマンドを受信した場合には、残点灯時間は１５０（１５０秒）に書き換えられる（そして、そこから再びカウントダウンされる）。以降、他の発光装置等から何らコマンドを受信することなくカウントが「０」になった場合には、発光装置は消灯する。
【００８３】
そして、”ADD”コマンドと”REST”コマンドの使い分けとしては、いれか一方のコマンドのみを使用することとしても良いし、発光装置から発光装置へ明かりのリレーが行われる時には”ADD”コマンドによる所定時間の点灯延長処理がなされ、発信装置から発光装置へ明かりのリレーが行われるときには”REST”コマンドによる点灯時間（例えば、最大点灯時間）への書き換え処理が行われるといった使い分けも可能である。
【００８４】
また、重要なポイントとして、（１）発光指示コマンド（残点灯時間付き）と（２）残点灯時間の加算／書き換えコマンドとがどういった条件で受け渡しされるかという点がある。
一例としては、明かりがついている発光装置から明かりがついていない発光装置へは、（１）の発光指示コマンド（残点灯時間付き）が送信され、明かりがついている発光装置から明かりがついている発光装置へは（２）の点灯時間の加算／書き換えコマンドが送信されるという処理が行われる。この場合は、通常に考えると、最大２パスの処理（１回目のやりとりでは（１）の発光指示コマンドの送受信の試み、２回目のやりとりでは（２）の点灯時間の加算／書き換えコマンドの送受信となる）がなされることになるが、後述のように処理すれば１回の送受信処理で済ませることができる。
つまり、（１）の発光指示コマンド（残点灯時間付き）及び（２）の点灯時間の加算／書き換えコマンドが１つの結合コマンドとして同時に発信されることとし、受け手の側の発光装置においては、未だ明かりがついていなければ（１）のコマンドを実行し、既に明かりがついている場合には（２）のコマンドを実行するように制御する。
【００８５】
そして、残点灯時間を有する明かりが付いている発光装置同士、その発信側と受信側とを交互に入れ替えながら発信側の残点灯時間がゼロにならないうちに（２）の点灯時間の加算／書き換えコマンドの受け渡しを行った場合には、実質的に（互いのバッテリーが持続する限り）、互いの明かりを灯し続けることが可能となる。
【００８６】
以上、上述の２パスの処理の場合であっても、１パスの処理の場合であっても、ＥｖｅｎｔＣＭＤ受信後の判断処理動作は、図８のステップＳ８０８〜Ｓ８０９や、図９のステップＳ９０３〜Ｓ９０５において実施される。
【００８７】
（３）遅延点灯（点滅）コマンド
【表３】
0006532013.tif 000004
上表のコマンドは、コマンドを受信した時点で直ちに所定の点灯（点滅）パターンを実行するのではなく、所定の時間経過後に点灯（点滅）させるという遅延点灯（点滅）コマンドである。かかるコマンドを受信した発光装置は、所定時間後の一斉点灯を目的とする場合が多いため、上記残点灯時間の加算／書き換えコマンドを受信した場合には無視する（図８のステップＳ８０８において、Ｎｏの制御とする）ことができる。
【００８８】
こうしたデータを受け取ったり他のキャンドルに渡したりするとき、単に「ｘ秒ごと」という時間間隔情報のみが伝送されるのではなく，「ｘ秒ごと，残りｙ秒」のように、作動開始までの時間情報も伝送されるので、かかるタイマー情報を有する特定のキャンドル（発光装置）や松明（発信装置）から明かりをもらったキャンドル（発光装置）は、一律に（同期して）同じ点灯（点滅）パターンを開始させることが可能となる。
かかる演出が可能になれば、あくまでも一例であるが、イベント会場などで、特定のファンを押す人達のキャンドル（発光装置）は、あるタイミングで同期して点灯（点滅）する、という興趣ある演出効果を発揮することが可能となる。
【００８９】
図１０に、本発明の一実施形態にかかるシステムに含まれる発信装置の動作フローを示す。発信装置は、篝火やトーチをモチーフとしたＥｖｅｎｔＣＭＤの送信手段であり、自身のＣＩＤを保持することができ、かつ、ＥｖｅｎｔＣＭＤをキャンドル等としての発光装置に付与（送信）することをその主な役目とする。本発明は、これに限定されるものではないが、発信装置のＥｖｅｎｔＣＭＤの送信は、発光装置の場合のように「送信ボタンの押下」によるものではなく、常時送信し続ける実施形態が好適である。つまり、ＥｖｅｎｔＣＭＤを保持して発光部が発光している発信装置にキャンドル（発光装置）を近づけると、所定距離内に入った時には必然的に近接無線通信が開始され、発信装置から発光装置へＥｖｅｎｔＣＭＤが引き渡される。その際、それまでＥｖｅｎｔＣＭＤを保持していなかった発光装置は、このＥｖｅｎｔＣＭＤを受信すると共に、ＥｖｅｎｔＣＭＤからデコードされたコマンドを実行して適切なタイミングで発光部を発光（点灯）させたり消灯させたりする。
以下、図１０を参照して動作フローを説明する。
【００９０】
図１０のステップＳ１００１において処理を開始すると、ステップＳ１００２へ進み、発信装置内にＥｖｅｎｔＣＭＤが既に取得されているかどうかがチェックされ、取得されていなければ、ネットワーク通信モジュール６１０を介して情報管理サーバ１０１へアクセスし、ＥｖｅｎｔＣＭＤを取得する。このとき、詳細説明は割愛するが、どの発信装置（ＣＩＤによって特定できる）に対して、どんなＥｖｅｎｔＣＭＤを割り振るかは、情報管理サーバ１０１で管理されており、認証処理を含めて適宜処理される。
【００９１】
また、ステップＳ１００２において、カウントダウン式のＥｖｅｎｔＣＭＤ（点灯／消灯までの時間がカウントダウン式に定義されている上表の”CountDownOn”や”CountDownOff”といった指定項目が含まれるＥｖｅｎｔＣＭＤ）の場合には、必要に応じてカウントダウンを開始する。
【００９２】
ステップＳ１００２でのＥｖｅｎｔＣＭＤ取得については、発明の理解の容易のためにほぼ自動的な処理として記載したが本発明はこれに限定されるものではく、適宜手動による操作が含まれていても良い。
【００９３】
ステップＳ１００２において、発信装置がＥｖｅｎｔＣＭＤを取得すると、スイッチがオフ（ステップＳ１００３において、Ｙｅｓ）にされない限り、ＥｖｅｎｔＣＭＤを送信し続け（ステップＳ１００４）、一定距離に近づいてきたキャンドル等としての発光装置がＥｖｅｎｔＣＭＤを受信した時に当該発光装置から返信されてくるＡＣＫ信号を待つ（ステップＳ１００５において、ＮｏとなってステップＳ１００４へ復帰するループ）。
【００９４】
また、ステップＳ１００４において、カウントダウン式のＥｖｅｎｔＣＭＤの場合には、必要に応じてカウントダウンが継続されている。
あるいは、ステップＳ１００４において、残点灯時間の加算／書き換えコマンド（"ADD”や”REST”）を生成させる場合には、発光指示コマンド（残点灯時間付き）等と共に、あるいは、発光指示コマンド（残点灯時間付き）等に替えて残点灯時間の加算／書き換えコマンドを生成処理させることができる。
【００９５】
なお、ステップＳ１００３においてスイッチがオフにされる（Ｙｅｓ）と、処理は終了する（ステップＳ１００６）。
【００９６】
ステップＳ１００５において、発光装置によるＥｖｅｎｔＣＭＤ受信があった場合、ステップＳ１００６へ進み、ＥｖｅｎｔＣＭＤを受信した発光装置からのＣＩＤ返信によって得られる送信先発光装置のＣＩＤを受信し、これをメモリに記憶し、及び／又は、この受信ＣＩＤを自身のＣＩＤと共に情報管理サーバ１０１へアップロードすることができる。そして、発信装置及び／又は情報管理サーバでは、この送信先発光装置のＣＩＤリストを記録管理することができる。
【００９７】
なお、ステップＳ１００５及びＳ１００６は本発明の本質的な構成ではなく、適宜割愛することができる。この場合、発信装置は自身のＥｖｅｎｔＣＭＤを如何なる発光装置が受け取るのかを感知することなく、所定のＥｖｅｎｔＣＭＤを常時発信し続けることになる。
【００９８】
（本発明の特段の効果）
以上に述べたイベント用発光装置及び該装置を用いたシステム等によれば、発光装置の点灯（点滅）パターンには様々なものを定義することができ、また、キャンドルリレーによってそのパターンが引き継がれていくため、いわば「自分の持っている炎（明かり）」と「他人が持っている炎（明かり）」とを区別して、同じ明かりを持つ者同士の連帯感を高めることができるという特段の効果を奏することができる。
【００９９】
（その他の応用例）
以上に述べたイベント用発光装置及び該装置を用いたシステム等では、主として発光装置や発信装置の発光部（ＬＥＤ）による明かりの表現によって多彩なコミュニケーション演出を図ることを示してきたが、同様のアイデアに基づいて、発光部による明かりのパターンによってではなく、図示しないスピーカから発せられる音のパターンや図示しないディスプレイに表示される１以上の数字の組み合わせによって本発明と同様の効果を奏することもできる。
【０１００】
また、本発明にかかる点灯（明滅）パターンは、ユーザ自身が自身のＰＣやタブレット端末において作成することもできる。そして、ユーザが作成した点灯（明滅）パターンは、例えば、ユーザ端末を介して情報管理サーバ１０１にアップロードすることができ、情報管理サーバ１０１では、アップロードされてきた点灯（点滅）パターンが既に使われていないかどうかをチェックして、重複登録を回避するように制御することもできる。この場合、明かりを貰い受けたユーザは、その点灯パターンをＰＣ等に入力ないし読み込ませて情報管理サーバ１０１へ問い合わせすることにより、そのパターンの作成者情報にアクセスするように管理制御することもできる。かかる機能は、情報発信者の宣伝や広告等に有効である。
【０１０１】
以上、具体例に基づき、イベント用発光装置及び該装置を用いたシステム等の実施形態を説明したが、本発明の実施形態としては、システム又は装置を実施するための方法又はプログラムの他、プログラムが記録された記憶媒体（一例として、光ディスク、光磁気ディスク、ＣＤ−ＲＯＭ、ＣＤ−Ｒ、ＣＤ−ＲＷ、磁気テープ、ハードディスク、メモリカード）等としての実施態様をとることも可能である。
【０１０２】
また、プログラムの実装形態としては、コンパイラによってコンパイルされるオブジェクトコード、インタプリタにより実行されるプログラムコード等のアプリケーションプログラムに限定されることはなく、オペレーティングシステムに組み込まれるプログラムモジュール等の形態であっても良い。
【０１０３】
さらに、プログラムは、必ずしも制御基板上のＣＰＵにおいてのみ、全ての処理が実施される必要はなく、必要に応じて基板に付加された拡張ボードや拡張ユニットに実装された別の処理ユニット（ＤＳＰ等）によってその一部又は全部が実施される構成とすることもできる。
【０１０４】
本明細書（特許請求の範囲、要約、及び図面を含む）に記載された構成要件の全て及び／又は開示された全ての方法又は処理の全てのステップについては、これらの特徴が相互に排他的である組合せを除き、任意の組合せで組み合わせることができる。
【０１０５】
また、本明細書（特許請求の範囲、要約、及び図面を含む）に記載された特徴の各々は、明示的に否定されない限り、同一の目的、同等の目的、または類似する目的のために働く代替の特徴に置換することができる。したがって、明示的に否定されない限り、開示された特徴の各々は、包括的な一連の同一又は均等となる特徴の一例にすぎない。
【０１０６】
さらに、本発明は、上述した実施形態のいずれの具体的構成にも制限されるものではない。本発明は、本明細書（特許請求の範囲、要約、及び図面を含む）に記載された全ての新規な特徴又はそれらの組合せ、あるいは記載された全ての新規な方法又は処理のステップ、又はそれらの組合せに拡張することができる。
【符号の説明】
【０１０７】
１０  情報処理システム
１０１  情報管理サーバ
１０２  発信装置（篝火、トーチ）
１０３ａ〜１０３ｊ  発光装置（キャンドル）
１０５ａ〜１０５ｂ  ＰＣないしコンピュータ／タブレット端末
１０９  公衆回線（専用線、インターネット等）
【図１】
0006532013.tif 000005
【図２】
0006532013.tif 000006
【図３】
0006532013.tif 000007
【図４】
0006532013.tif 000008
【図５】
0006532013.tif 000009
【図６】
0006532013.tif 000010
【図７】
0006532013.tif 000011
【図８】
0006532013.tif 000012
【図９】
0006532013.tif 000013
【図１０】
0006532013.tif 000014